(57)【特許請求の範囲】
【請求項１】
複数の信号コンタクトと、第１のグラウンドプレートと、第２のグラウンドプレートと、インシュレータとからコンタクトモジュールが構成され、
前記両グラウンドプレートは、それぞれ少なくとも一つの断面略コ字状部を有し、
前記各断面略コ字状部が背中同士を互い違いに対向し、かつ、前記各断面略コ字状部の開放部が外側を向くように、前記両グラウンドプレートと前記インシュレータとがモールドインによって一体成形され、
前記各断面略コ字状部内に前記各信号コンタクトが組み込まれて前記コンタクトモジュールが構成され、
複数の前記コンタクトモジュールがハウジングに並設されることによって構成されることを特徴とするコネクタ。
【請求項２】
前記両グラウンドプレートの少なくとも一方は、相手側コネクタのグラウンドプレートに接続する少なくとも一つの接触部を有することを特徴とする請求項１記載のコネクタ。
【発明の詳細な説明】
【０００１】
【発明の属する技術分野】
本発明は、隣接する信号コンタクト間をグラウンドプレートが仕切ることによって構成されるコンタクトモジュールを複数並設されるコネクタに関し、一用途例として高速差動信号伝送用コネクタに関する。
【０００２】
【従来の技術】
直交する２枚のプリント基板間を接続する従来のコネクタについて説明する。
【０００３】
第１の従来のコネクタ（例えば、特許文献１参照。）と第２の従来のコネクタ（例えば、特許文献２参照。）では、いずれもコンタクトとモールド部品とから一体成形されたコンタクトモジュール又はコンタクト形状の溝が掘られたモールド部品にコンタクトをはめ込むことによって構成されるコンタクトモジュールに、個別にグラウンド機能を有する部品を取り付けているため、組立工程が煩雑である。
【０００４】
また、第２の従来のコネクタでは、コンタクトモジュール内において、信号が伝送される物理的な線路長が等しくないために、誘電体と空気中の各コンタクト長を調整することによって、実際に信号が伝送される電気的なタイムラグを最小にする設計がされている。
【０００５】
【特許文献１】
特開平６−３２５８２９号公報（第３頁、図１１）
【０００６】
【特許文献２】
特許第２５３７６９８号公報（第３頁、図８）
【０００７】
【発明が解決しようとする課題】
そこで、本発明は、前記両従来のコネクタの欠点を改良し、クロストークを防止でき、構造が簡素で、しかも、製造組立が便利なコンタクトモジュールを複数並設されて構成されるコネクタを提供しようとするものである。
【０００８】
【課題を解決するための手段】
本発明は、前記課題を解決するため、次の手段を採用する。
【０００９】
１．複数の信号コンタクトと、第１のグラウンドプレートと、第２のグラウンドプレートと、インシュレータとからコンタクトモジュールが構成され、前記両グラウンドプレートは、それぞれ少なくとも一つの断面略コ字状部を有し、前記各断面略コ字状部が背中同士を互い違いに対向し、かつ、前記各断面略コ字状部の開放部が外側を向くように、前記両グラウンドプレートと前記インシュレータとがモールドインによって一体成形され、前記各断面略コ字状部内に前記各信号コンタクトが組み込まれて前記コンタクトモジュールが構成され、複数の前記コンタクトモジュールがハウジングに並設されることによって構成されるコネクタ。
【００１０】
２．前記両グラウンドプレートの少なくとも一方は、相手側コネクタのグラウンドプレートに接続する少なくとも一つの接触部を有する前記１記載のコネクタ。
【００１１】
【発明の実施の形態】
本発明の一実施の形態例の高速差動信号伝送用コネクタについて図１〜図１３を参照して説明する。
【００１２】
図１は、バックプレーン１にプレスフィットによって取り付けられたプラグコネクタ３と、ミッドプレーン２にプレスフィットによって取り付けられたレセプタクルコネクタ４との斜視図である。プラグコネクタ３は、レセプタクルコネクタ４と嵌合する。
【００１３】
図２に示されるように、プラグコネクタ３は、フロントハウジング５と、フロントハウジング５に取り付けられたコンタクトモジュール６とから構成される。レセプタクルコネクタ４は、ハウジング７と、ハウジング７に保持される９８本のピンヘッダ（横方向７本、縦方向１４本）８と、ハウジング７に横方向に配設された８枚の第１のグラウンドプレート９と、ハウジング７に縦方向に配設された８枚の第２のグラウンドプレート１０とから構成される。
【００１４】
プラグコネクタ３のフロントハウジング５は、モールド成形され、プラグコネクタ３の嵌合面には、図１２（Ａ）に示されるように、レセプタクルコネクタ４のピンヘッダ８を受け入れる開口部１１、８枚の第１のグラウンドプレート９を設け入れる８箇所のスリット１２、及び、８枚の第２のグラウンドプレート１０を受け入れる８箇所のスリット１３が、形成される。
【００１５】
図５〜図７に示されるように、金属材料をプレス加工して成形された第１のグラウンドプレート１４と第２のグラウンドプレート１５をインシュレータ２８にモールドインすることによって一体成形品２７を構成する。一体成形品２７の両側からそれぞれ７本の信号コンタクト１６を組み込むと、コンタクトモジュール６が構成される。
【００１６】
第１のグラウンドプレート１４は、図３に示されるように、バックプレーンのグラウンド用スルーホールに接続するための８箇所のプレスフィット部１７、切欠加工によって垂直に折曲されて形成された４箇所の断面略コ字状部１８、レセプタクルコネクタ４の第１のグラウンドプレート９と接触するための７箇所の接触部１９、プレスフィット部１７と接触部１９を連結する４箇所のシールド中間部２０、フロントハウジング５の収容穴３４に収容され、クロストークの低減とインピーダンスの調整をするための７箇所の突起５０、及び、プラグコネクタ３のフロントハウジング５への一対の圧入部２１を有する。
【００１７】
第２のグラウンドプレート１５は、図４に示されるように、バックプレーンのグラウンド用スルーホールに接続するための８箇所のプレスフィット部１７、切欠加工によって垂直に折曲されて形成された４箇所の断面略コ字状部１８、レセプタクルコネクタ４の第１のグラウンドプレート９と接触するための７箇所の接触部１９、プレスフィット部１７と接触部１９を連結する５箇所のシールド中間部２０、フロントハウジング５の収容穴３４に収容される７箇所の突起５０、及び、プラグコネクタ３のフロントハウジング５への一対の圧入部２１を有する。
【００１８】
なお、第２のグラウンドプレート１５は、第１のグラウンドプレート１４と対比して、プレスフィット部１７の曲げ方向、断面略コ字状部１８の位置と曲げ方向、及び、接触部１９の位置と変位方向が異なる。
【００１９】
第１のグラウンドプレート１４と第２のグラウンドプレート１５の各シールド中間部２０には、略Ｌ字形状部１８の折曲方向とは逆方向に凸状リブ２２が形成されている。
【００２０】
図８に示されるように、長短７本の信号コンタクト１６は、アングル状に順次折曲又はプレス加工されて形成される。各信号コンタクト１６は、バックプレーンの信号用スルーホールに接続するためのプレスフィット部２３と、レセプタクルコネクタ４のピンヘッダ８と接触するための接触部２４と、プレスフィット部２３と接触部２４を連結する中間部２５と、プラグコネクタ３のフロントハウジング５への圧入部２６とから構成される。
【００２１】
各信号コンタクト１６を一体成形品２７のインシュレータ２８に組み込む方法は、次のとおりである（例として１から３の方法がある。）。
【００２２】
１．図６、図７及び図９に示されるように、一体成形品２７のインシュレータ２８の両側にそれぞれ７箇所の凹部２９を設け、各凹部２９に各信号コンタクト１６を圧入する。
【００２３】
２．図１０と図１１に示されるように、一体成形品２７のインシュレータ２８には、第１のグラウンドプレート１４と第２のグラウンドプレート１５がモールドインされ、また、各信号コンタクト１６の装着箇所に凹部２９が形成されている。図１１（Ａ）のように各凹部２９に各信号コンタクト１６を挿入した後、図１１（Ｂ）のように治具４１によって一体成形品２７のインシュレータ２８の凹部２９の入口付近３１を潰す。すると、図１１（Ｃ）のように、各信号コンタクト１６は、かしめられて一体成形品２７に固定され、コンタクトモジュール６が、完成する。
【００２４】
３．一体成形品２７の両側の各凹部２９に各信号コンタクト１６を挿入し、更に、モールドによって一体成形する。
【００２５】
なお、一体成形品２７の一方側に組み込む各信号コンタクト１６と他方側に組み込む各信号コンタクト１６とは、同一の構成にすることができる。また、図１１に示した溝３０は、インピーダンス調整又は伝送信号速度の調整等をするためのものである。
【００２６】
図１２（Ｃ）に示されるように、プラグコネクタ３のフロントハウジング５の反嵌合面には、各信号コンタクト１６の接触部２４を収納する収納穴３２と、第１のグラウンドプレート１４と第２のグラウンドプレート１５の各接触部１９を収納する収納穴３３が設けられている。フロントハウジング５の後方から８個のコンタクトモジュール６を一括して圧入すると、プラグコネクタ３が完成する。
【００２７】
図１３（Ａ）〜（Ｉ）は、プラグコネクタ３のコンタクトモジュール６の製造組立工程図である。まず、図１３（Ｅ）に示されるように、第１及び第２のグラウンドプレート１４，１５の各断面略コ字状部１８が背中同士を互い違いに対向し、かつ、各断面略コ字状部１８の開放部が外側を向くように、両グラウンドプレート１４，１５を配置する。次に、図１３（Ｆ）に示されるように、両グラウンドプレート１４，１５とインシュレータ２８とをモールドインによって一体成形すると、一体成形品２７が構成される。続いて、図１３（Ｇ）に示されるように、各断面略コ字状部１８内に各信号コンタクト１６を挿入し、治具によって各信号コンタクト１６をインシュレータ２８にかしめる。すると、図１３（Ｈ）に示されるように、コンタクトモジュール６が完成する。８個のコンタクトモジュール６をハウジングに並設することによって、プラグコネクタ３が構成される。
【００２８】
第１のグラウンドプレート１４と第２のグラウンドプレート１５によって信号２線（例えば図１３（Ｉ）における２本の信号コンタクト１６）を取り囲む断面形状が信号２線の中心線に対して略対称であるから、信号２線路は第１のグラウンドプレート９と第２のグラウンドプレート１０に対して対称であるので、信号２線路に差がなく、また、本コネクタは、ノイズ信号に対する耐性が強化され、外部へのノイズの発生の抑制に有効な平衡伝送路を用いた差動伝送を行うことができる。なお、図１３（Ｉ）における最左側のコンタクトモジュール６の左側と最右側のコンタクトモジュール６の右側には、それぞれの左外側と右外側を取り囲むグラウンドプレートが存在しないために、信号コンタクトは組み込まれていない。
【００２９】
なお、本実施の形態例では、信号コンタクトは組み込まれていないが、通常の信号（差動ではない）を伝送する場合には、信号コンタクトを組み込むことができる。
【００３０】
また、第１のグラウンドプレート１４と第２のグラウンドプレート１５の各シールド中間部２０の凸状リブ２２、又は、両グラウンドプレート１４，１５のプレス抜き形状を調整することによって、信号２線路間の特性インピーダンスの整合を行うことができる。更に、一体成形品２７における各信号コンタクト１６がはまる各凹部２９及び溝３０の形状により各信号コンタクト１６を取り囲む誘電体と空気層のバランスを調整することによって、インピーダンス整合を行うことができ、また、伝送する信号速度を調整することができる。
【００３１】
【発明の効果】
以上の説明から明らかなように、本発明によれば、次の効果が奏される。
【００３２】
１．各信号コンタクトは、２枚のグラウンドプレートによって取り囲まれるので、クロストークは、有効に防止される。
【００３３】
２．コンタクトモジュールは、複数の信号コンタクトと、２枚のグラウンドプレートと、インシュレータとから構成されるので、構造が簡素である。
【００３４】
３．組み合わされた２枚のグラウンドプレートとインシュレータをモールドインによって一体成形すると、一体成形品が構成され、各信号コンタクトを一体成形品に組み込むと、コンタクトモジュールが完成する。複数のコンタクトモジュールをハウジングに並設すると、コネクタが構成される。したがって、コネクタの製造組立が便利である。
【図面の簡単な説明】
【図１】本発明の一実施の形態例のバックプレーンに取り付けられたプラグコネクタとミッドプレーンに取り付けられたレセプタクルコネクタの嵌合前の斜視図である。
【図２】同プラグコネクタと同レセプタクルコネクタの嵌合前の斜視図である。
【図３】同プラグコネクタの第１のグラウンドプレートであり、（Ａ）は正面図、（Ｂ）は側面図を、それぞれ示す。
【図４】同プラグコネクタの第２のグラウンドプレートであり、（Ａ）は正面図、（Ｂ）は側面図を、それぞれ示す。
【図５】同プラグコネクタの第１及び第２の各グラウンドプレートと、同レセプタクルコネクタの第１及び第２の各グラウンドプレートとの接続状態の斜視図である。
【図６】同プラグコネクタにおける一体成形品に各信号コンタクトを組み込む前の状態の斜視図である。
【図７】同プラグコネクタにおけるコンタクトモジュールの斜視図である。
【図８】同プラグコネクタにおける同信号コンタクトであり、（Ａ）は長短７本の信号コンタクトの正面図、（Ｂ）は最長の信号コンタクトの側面図である。
【図９】同プラグコネクタにおける同一体成形品の諸図であり、（Ａ）は平面図、（Ｂ）は正面図、（Ｃ）は下面図、（Ｄ）は側面図を、それぞれ示す。
【図１０】同プラグコネクタにおける同コンタクトモジュールの諸図であり、（Ａ）は平面図、（Ｂ）は正面図、（Ｃ）は下面図、（Ｄ）は側面図を、それぞれ示す。
【図１１】同プラグコネクタにおける同一体成形品から同コンタクトモジュールまでの製造工程の断面図であり、（Ａ）は同一体成形品に同各信号コンタクトを組み込んだ状態、（Ｂ）は同一体成形品のインシュレータに同信号コンタクトを治具によってかしめる前の状態、（Ｃ）は完成した同コンタクトモジュールを、それぞれ示す。
【図１２】同プラグコネクタのフロントハウジングの諸図であり、（Ａ）は正面（嵌合面）図、（Ｂ）は平面図、（Ｃ）は背面（反嵌合面）図、（Ｄ）は側面図を、それぞれ示す。
【図１３】同プラグコネクタの同コンタクトモジュールの製造組立工程を、順次（Ａ）〜（Ｉ）にそれぞれ示す。
【符号の説明】
１    バックプレーン
２    ミッドプレーン
３    プラグコネクタ
４    レセプタクルコネクタ
５    フロントハウジング
６    コンタクトモジュール
７    ハウジング
８    ピンヘッダ
９    第１のグラウンドプレート
１０    第２のグラウンドプレート
１１    開口部
１２    スリット
１３    スリット
１４    第１のグラウンドプレート
１５    第２のグラウンドプレート
１６    信号コンタクト
１７    プレスフィット部
１８    断面略コ字状部
１９    接触部
２０    シールド中間部
２１    圧入部
２２    凸状リブ
２３    プレスフィット部
２４    接触部
２５    中間部
２６    圧入部
２７    一体成形品
２８    インシュレータ
２９    凹部
３０    溝
３１    入口付近
３２    収納穴
３３    収納穴
３４    収納穴
４１    治具
５０    突起
【図１】
0003624404.tif 000002
【図２】
0003624404.tif 000003
【図３】
0003624404.tif 000004
【図４】
0003624404.tif 000005
【図５】
0003624404.tif 000006
【図６】
0003624404.tif 000007
【図７】
0003624404.tif 000008
【図８】
0003624404.tif 000009
【図９】
0003624404.tif 000010
【図１０】
0003624404.tif 000011
【図１１】
0003624404.tif 000012
【図１２】
0003624404.tif 000013
【図１３】
0003624404.tif 000014